(57)【特許請求の範囲】
【請求項１】
シート状の紙素材と、その両面に貼り付けられたアルミニウム箔とからなるシートで構成される積層体シートであって、
前記シートのシート端部の周縁部分は平面視において凹凸形状を有し、
前記積層体シートは、ガスレンジトッププレート覆いであり、
前記周縁部分は平面視において山谷が繰り返される波型形状を有し、
前記凹凸形状の凸部分の縁に沿った長さをＬ１［ｍｍ］とし、
前記波型形状の繰り返しピッチをＬ［ｍｍ］とし、
前記波型形状の最大変位をＨ［ｍｍ］とすると、
Ｌ１＝｛Ｈ２＋（Ｌ２／４）｝１／２
に形成されている、積層体シート。
【請求項２】
前記凹凸形状の凹部分の存在による前記凸部分の不連続箇所の直線長さをＬ２［ｍｍ］とすると、
Ｌ２＞Ｌ１／５
に形成されている、請求項１記載の積層体シート。
【請求項３】
前記ピッチＬを１〜１０ｍｍに、
前記最大変位Ｈを０．２〜５．０ｍｍに、
設定されている、請求項１記載の積層体シート。
【請求項４】
前記シートの全体厚さＴが、０．０８６〜０．４４５ｍｍであり、
Ｌ１＜２２．５・Ｔ
に形成されている、請求項１から請求項３のいずれかに記載の積層体シート。
【発明の詳細な説明】
【技術分野】
【０００１】
この発明は積層体シートに関し、特に、アルミニウム箔と紙素材とを積層した積層体シートに関するものである。
【背景技術】
【０００２】
従来、キッチンのガスレンジの汚れを防止するために、ガスレンジのトッププレート表面を覆って調理時の油汚れ等の付着を防ぐガスレンジ用トッププレート覆いが用いられている。一般的に、このようなガスレンジ用トッププレート覆いは、不燃紙の両面にアルミニウム箔のような金属箔を積層し、ガスバーナーの位置に対応する箇所に開口が形成されたものが用いられている。
【０００３】
図１２は特許文献１で開示されたこのような従来の積層体シートの概略構成を示す概略平面図である。
【０００４】
図を参照して、シート５１は、ガスレンジのトッププレート表面を覆うように敷設され、キッチンで調理時の油汚れ等が付着するのを防ぐ。シート５１が汚れた際には取り替えるため、直線状となっているシート端部５２を手に持ってシート５１を着脱する。
【０００５】
次に、積層体シートの構造を説明する。
【０００６】
図１３は図１２で示したＸＩＩ−ＸＩＩラインの拡大断面図である。
【０００７】
図を参照して、シート５１は、不燃紙又は難燃紙である紙５５の両面に、第１アルミニウム箔５４と第２アルミニウム箔５６とを貼り合わせてなる積層体構造となっている。
【先行技術文献】
【特許文献】
【０００８】
【特許文献１】特開２０００−２５７８７９号公報
【発明の概要】
【発明が解決しようとする課題】
【０００９】
上記のような従来の積層体シートでは、アルミニウム箔と紙素材との積層体からなるため、その厚みが非常に薄いものであり、且つ、そのシート端部が直線状であるため、積層体シートをガスレンジのトッププレートに敷設する際に当該端部に指で触れた際に指を切傷するおそれがあった。
【００１０】
又、この問題を避けるために積層体シートの端部を縁巻加工しようとしても、その構造上容易ではなかった。
【００１１】
この発明は、上記のような課題を解決するためになされたもので、端部で指を切傷しにくい積層体シートを提供することを目的とする。
【課題を解決するための手段】
【００１２】
上記の目的を達成するために、請求項１記載の発明は、シート状の紙素材と、その両面に貼り付けられたアルミニウム箔とからなるシートで構成される積層体シートであって、シートのシート端部の周縁部分は平面視において凹凸形状を有し、積層体シートは、ガスレンジトッププレート覆いであり、周縁部分は平面視において山谷が繰り返される波型形状を有し、凹凸形状の凸部分の縁に沿った長さをＬ１［ｍｍ］とし、波型形状の繰り返しピッチをＬ［ｍｍ］とし、波型形状の最大変位をＨ［ｍｍ］とすると、
Ｌ１＝｛Ｈ２＋（Ｌ２／４）｝１／２
に形成されているものである。
【００１３】
このように構成すると、指との接触面が不連続となり、シート端面が平行移動したとき接触区間と非接触区間とが交互に存在することとなる。又、Ｌ１を定めればＨ及びＬを具体的に決定することができる。
【００１４】
請求項２記載の発明は、請求項１記載の発明の構成において、その凹凸形状の凹部分の存在による凸部分の不連続箇所の直線長さをＬ２［ｍｍ］とすると、
Ｌ２＞Ｌ１／５
に形成されているものである。
【００１５】
このように構成すると、複数の凸部分への連続的な接触機会があっても引張力が対抗力を超えない。
【００１８】
請求項３記載の発明は、請求項１記載の発明の構成において、ピッチＬが１〜１０ｍｍに、最大変位Ｈが０．２〜５．０ｍｍに設定されているものである。
請求項４記載の発明は、請求項１から請求項３のいずれかに記載の発明の構成において、シートの全体厚さＴが、０．０８６〜０．４４５ｍｍであり、
Ｌ１＜２２．５・Ｔ
に形成されているものである。
このように構成すると、少なくとも最初の指との接触機会において引張力が対抗力を超えない。
【発明の効果】
【００１９】
以上説明したように、請求項１記載の発明は、指との接触面が不連続となり、シート端面が平行移動したとき接触区間と非接触区間とが交互に存在することとなるため、指を切傷しにくい。又、Ｌ１を定めればＨ及びＬを具体的に決定することができるため、当該積層体シートの素材及び構成を定めれば、指を切傷しにくいシート端部の形状を設計することができる。
【００２０】
請求項２記載の発明は、請求項１記載の発明の効果に加えて、複数の凸部分への連続的な接触機会があっても引張力が対抗力を超えないため、極めて指を切傷しにくい。
【００２２】
請求項３記載の発明は、請求項１記載の発明の効果に加えて、より効率的な設計が可能となる。
請求項４記載の発明は、請求項１から請求項３のいずれかに記載の発明の効果に加えて、少なくとも最初の指との接触機会において引張力が対抗力を超えないため、指を切傷しにくい。
【図面の簡単な説明】
【００２３】
【図１】この発明の第１の実施の形態による積層体シートの概略構成を示す概略平面図である。
【図２】図１で示したＩＩ−ＩＩラインの拡大断面図である。
【図３】図１においてシート端部と指とが接触している時の指の状態を示す概略断面図であって、（１）はシートが移動する前の状態を示すものであり、（２）はシートが一定距離を移動した後の状態を示すものである。
【図４】図１においてシート端面と指との接触面を示す概略断面図であって、（１）は指側の接触面を示すものであり、（２）はシート側の接触面を示すものである。
【図５】図１で示した“Ｘ”部分のシート端部を示す拡大概略図であり、（１）はシート端部を平面視したものであり、（２）はシート端面をシート本体平面の延長線上の上部から見たものである。
【図６】図４において総接触距離の増加に伴い引張力が増加していく様子を示すグラフである。
【図７】この発明の第２の実施の形態による積層体シートの概略構成を示す概略平面図であり、図１に対応するものである。
【図８】図７で示した“Ｙ”部分のシート端部を示す拡大概略図であり、図５（１）に対応するものである。
【図９】図８に対応する積層体シートのシート端部を示す拡大概略図であって、（１）はその繰り返しピッチ及び最大変位を示すものであり、（２）はその最上点から隣接する最下点までの縁に沿った長さを示すものであり、（３）はその最上点から隣接する最下点までの直線長さを示すものである。
【図１０】この発明の第２の実施の形態による積層体シートの製造工程を示す概略工程図である。
【図１１】この発明の他の実施の形態による積層体シートのシート端部の形状を示す拡大概略図であり、図５（１）に対応するものである。
【図１２】従来の積層体シートの概略構成を示す概略平面図である。
【図１３】図１２で示したＸＩＩ−ＸＩＩラインの拡大断面図である。
【発明を実施するための形態】
【００２４】
図１はこの発明の第１の実施の形態による積層体シートの概略構成を示す概略平面図である。
【００２５】
図を参照して、シート１は、ガスレンジトッププレート覆いであり、本体平面がガスレンジ（図示せず）のトッププレート表面を覆うことができるような形状に成型されている。又、シート端部２は平面視において凹凸形状となっている。
【００２６】
次に、この発明の第１の実施の形態による積層体シートの断面構造について説明する。
【００２７】
図２は図１で示したＩＩ−ＩＩラインの拡大断面図である。
【００２８】
図を参照して、シート１の断面は、不燃紙である紙５の両面に、上面側となる第１アルミニウム箔４及び下面側となる第２アルミニウム箔６が貼り付けられている。
【００２９】
第１アルミニウム箔４及び第２アルミニウム箔６の厚みはそれぞれ０．００６〜０．０５０ｍｍで選定されており、又、紙５の厚みは０．０８０〜０．３４５ｍｍで選定されている。そのため、積層体シートの厚みをＴ［ｍｍ］とおくと、Ｔの上限は、第１アルミニウム箔、紙及び第２アルミニウム箔のそれぞれが一番厚い場合の構成である０．４４５ｍｍとなる。又、Ｔの下限は、第２アルミニウム箔無しの構成の積層体シートも想定されるため、０．０８６ｍｍとなる。以上より、積層体シートの厚みＴの範囲は、０．０８６〜０．４４５ｍｍとなる。
【００３０】
尚、意匠的な観点からは、第１アルミニウム箔４の上面に印刷を施してあっても良い。
【００３１】
この実施の形態による積層体シートの端部は、以下に示すように、シート端部と指とが接触しても指を切傷しにくいように、凹凸形状となっている。
【００３２】
そこで、当該凹凸形状のシート端部と指とが接触しても指を切傷しにくい理由を説明する。
【００３３】
まず、あるシート状の物体と指とが接触し、シート端面を一定の力で指に押し込んだまま、一定速度で接触面と平行方向に滑るように移動させたとき、指側は一定の面積に接触し続け、紙側は接触距離に比例して大きくなる総面積で接触する。そして摩擦力によって発生し徐々に蓄積する蓄積摩擦力（引張力）が指の接触面の対抗力を超えたとき、指を切傷すると考えられる。その際、次のような式が成り立ったものと考えられる。
【００３４】
Ｆ＝μ・Ｎ・Ａ  ＞Ｃ      ・・・（ｉ）
Ｆは蓄積摩擦力［Ｎ（ニュートン）］である。本件では、「引張力」とする。
【００３５】
μは摩擦係数である。本件では、常にシート端面と指との関係であるため、一定である。
【００３６】
Ｎは押圧力［Ｎ／ｍｍ２］である。本件では、シート端面が指に対して垂直方向にかける単位面積あたりの押圧力である。
【００３７】
Ａは総接触面積［ｍｍ２］である。本件では、シート端面と指との接触におけるシート端面側が接触した総面積である。
【００３８】
Ｃは対抗力［Ｎ］である。本件では、指の接触面の「対抗力」とする。
【００３９】
μは一定のため、押圧力Ｎ又は面積Ａが大きいほど引張力Ｆは大きくなる。
【００４０】
そして、引張力Ｆが対抗力Ｃを超えた瞬間に、指は切傷する。
【００４１】
ここで、Ｃについて説明する。
【００４２】
図３は図１においてシート端部と指とが接触している時の指の状態を示す概略断面図であって、（１）はシートが移動する前の状態を示すものであり、（２）はシートが一定距離を移動した後の状態を示すものである。
【００４３】
まず（１）を参照して、シート端部２と指８は接触している。シートを矢印の方向に平行移動させたとき、シート端部２と指８の接触面に摩擦を生じて指の皮膚を引っ張る力が発生して変形が始まる。指は一定の弾性を有するため、紙の移動後には（２）に示す状態となる。
【００４４】
次に（２）を参照して、指８はシート端部２の移動方向に応じて摩擦により引っ張られ、ひずみを生ずる。一定の力までは指は変形により対抗できるが、対抗力の限界（変形の限界）を超えたとき、指は切傷すると考えられる。この指が引張力に対抗できる限界の力が対抗力Ｃである。
【００４５】
そして、本件の指の対抗力Ｃは指側の接触面積Ｂに比例すると考えられる。
【００４６】
Ｃ＝β・Ｂ      ・・・（ｉｉ）
βは対抗力定数［Ｎ／ｍｍ２］である。本件では、指の単位面積あたりの対抗力とし、一定である。
【００４７】
Ｂは接触面積［ｍｍ２］である。本件では、シート端面と指との接触における指側の接触面積である。
【００４８】
つまり、指に大きくシート端面が接触している時ほど対抗力は大きくなり、指は切傷しにくくなる。
【００４９】
図４は図１においてシート端面と指との接触面を示す概略断面図であって、（１）は指側の接触面を示すものであり、（２）はシート側の接触面を示すものである。
【００５０】
まず（１）を参照して、シート端面３は指８と接触面９を介して接触している。そして、シートを矢印の方向に平行移動させるとき、指８と接触面９を介して接触を続けながらシートは移動する。接触面９の縦幅はシートの厚みＴ［ｍｍ］である。接触面９の横幅をＷ［ｍｍ］とし、接触面９の面積をＢとする。シート端面と指との接触開始からシートの移動後まで、指側は常に接触面９を介してシート端面と接触し続ける。
【００５１】
次に（２）を参照して、シートが（１）の矢印の方向に平行移動したとき、シート端面の指との接触面９は（２）の矢印の方向に平行移動し、距離Ｄ´［ｍｍ］を移動した後はシート端面と指とは点線で描いた接触面１０を介して接触している状態となる。移動の間に指と接触したシート端面側の全ての接触面が総接触面１１である。総接触面１１の縦幅はシートの厚みＴであり、横幅は移動距離Ｄ´と移動前の接触面９の横幅Ｗとの合計である距離Ｄとなる。又、総接触面１１の面積が総接触面積Ａとなる。
【００５２】
ここで、Ｂについて説明する。
【００５３】
Ｂはシート端面と指との接触における指側の接触面積であり、次のような式が成り立つと考えられる。
【００５４】
Ｂ＝Ｔ・Ｗ      ・・・（ｉｉｉ）
Ｔはシートの厚み［ｍｍ］である。本件では、指の接触面の縦幅となり、又、シート端面の接触面の縦幅となる。
【００５５】
Ｗは接触面の幅［ｍｍ］である。本件では、指の接触面の横幅である。
【００５６】
あるシート端面と指との接触を考えるとき、その関係においてはＴ、Ｗともに一定であるため、Ｂは一定となる。
【００５７】
次に、Ｎについて説明する。
【００５８】
Ｎはシート端面が指に対して垂直方向にかける単位面積あたりの押圧力であり、次のような式が成り立つと考えられる。
【００５９】
Ｎ＝Ｐ／Ｂ      ・・・（ｉｖ）
Ｐは押し込む力［Ｎ］である。本件では、シートが指に対して押し込む力であり、一定とする。
【００６０】
つまり、接触面積Ｂが小さいほどＮは大きくなる。
【００６１】
次に、Ａについて説明する。
【００６２】
Ａはシート端面と指との接触におけるシート端面側が接触した総面積であり、次のような式が成り立つと考えられる。
【００６３】
Ａ＝Ｔ・Ｄ      ・・・（ｖ）
Ｄは総接触距離［ｍｍ］である。本件では、シートの移動距離Ｄ´と接触開始時点での接触面の幅Ｗとの合計である。
【００６４】
ここでＤ´及びＤは、次の式のようになる。
【００６５】
Ｄ´＝Ｖ・Ｓ
Ｄ＝Ｖ・Ｓ＋Ｗ      ・・・（ｖｉ）
Ｖは速さ［ｍｍ／ｓ］である。本件では、シートが上下に変動することなく接触面と平行方向に移動する速さであり、一定とする。
【００６６】
Ｓは時間［ｓ］である。本件では、シートが移動を開始した後のシート端面と指との接触時間である。
【００６７】
シートの移動速度Ｖが増加するほど、又はシート端面と指との接触時間Ｓが増加するほど、総接触距離Ｄは増加する。
【００６８】
上記式（ｉｉ）〜（ｖｉ）を上記式（ｉ）に挿入すると、次のようになる。
【００６９】
Ｆ＝μ・Ｐ・Ｄ／Ｗ  ＞β・Ｔ・Ｗ    ＝Ｃ      ・・・（ｖｉｉ）
尚、Ｄ＝Ｖ・Ｓ＋Ｗ
この式から言えることは次の通りである。
【００７０】
まず、シートが指に押し込む力Ｐが大きいほど引張力Ｆが増加し、指は切傷しやすくなる。
【００７１】
又、総接触距離Ｄが長いほど引張力Ｆが増加し、指は切傷しやすくなる。
【００７２】
更に、指の接触面の幅Ｗが短いほど引張力Ｆが増加し、又、対抗力Ｃが減少し、指は切傷しやすくなる。
【００７３】
更に、接触面の厚みＴが薄いほど対抗力Ｃが減少し、指は切傷しやすくなる。
【００７４】
そして、μ及びβは定数であり、Ｐ、Ｖ、Ｗ及びＴは本件においては一定であるため、上記式（ｖｉｉ）より、引張力Ｆは総接触距離Ｄに比例する。つまり、シート端面と指との接触距離が短くなれば、引張力は増加しづらくなり、指は切傷しにくくなる。
【００７５】
ここで、シートの端部が平面視において凹凸形状であれば、シート端面と指との一度の接触距離が短くなる。その結果、一度の接触機会において引張力Ｆは対抗力Ｃを超えづらくなり、指は切傷しにくくなる。
【００７６】
その様子を説明したのが図５である。図５は図１で示した“Ｘ”部分のシート端部を示す拡大概略図であって、（１）はシート端部を平面視したものであり、（２）はシート端面をシート本体平面の延長線上の上部から見たものである。
【００７７】
まず（１）を参照して、シート端部２には凸部分１３と凹部分１４が交互に存在する。シート端部の変位の中間線が一点鎖線１５であり、線１５を境界として上部が凸部分１３であり、下部が凹部分１４である。Ｌ１は凸部分の線１５に平行な直線長さであり、Ｌ２は凹部分の長さである。
【００７８】
次に（２）を参照して、シート端面３の部分１３が凸部分１３の端面であり、指と接触し得る部分となっている。その縦幅はシートの厚みＴであり横幅は凸部分の長さＬ１である。又、部分１４が凹部分１４の端面であり、指と接触し得ない部分となっている。
【００７９】
シート端部が従来例のような直線状であれば接触面が連続しており、シート端面は平行移動しながら指と接触し続ける。それに対して、シート端部が凹凸形状であれば接触面が不連続であり、シート端面が平行移動したとき指と接触する区間（接触区間）と指と接触しない区間（非接触区間）とが交互に存在する。
【００８０】
図６はこのような総接触距離Ｄの増加に伴い引張力Ｆが増加していく様子を示すグラフである。横軸は総接触距離Ｄを表し、縦軸は対抗力Ｃに対する引張力Ｆの割合［％］を表している。即ち、引張力Ｆが対抗力Ｃ（１００％）を超えたとき、指は切傷する。
【００８１】
一点鎖線で示した線２５は対抗力Ｃ（１００％）を表し、総接触距離Ｄに関わらず一定である。破線で示した線２６は、従来例のような直線状のシート端部と指とが接触した場合を表している。この場合、総接触距離Ｄの増加に伴い引張力Ｆが増加し、総接触距離Ｄが一定の長さを超えた時点で引張力Ｆが対抗力Ｃを超え、指が切傷する。折れ線２７はこの実施の形態による凹凸形状のシート端部と指とが接触した場合を表し、凸部分よりなる一度の接触区間では直線状の場合と同様に引張力Ｆが増加していくが、引張力Ｆが対抗力Ｃを超える前に接触区間が終了し、その後の凹部分よりなる非接触区間に入る。
【００８２】
即ち、この実施の形態による凹凸形状のシート端部においては、接触区間の長さが一定の長さより短いので、引張力Ｆが対抗力Ｃを超える前に一度の接触機会が終了し、指を切傷しにくい。
【００８３】
ここで、シート端部と指との一度の接触機会が終了した後もシートを平行移動させ続けた場合について説明する。
【００８４】
一度の接触機会が終了したとき、指の皮膚は引張力によりひずんだ状態から急速に元に戻ろうとし、引張力Ｆは軽減される。又、その後の接触機会における接触面は前回の接触面とは微細に異なる位置となるため、引張力Ｆはより軽減された状態となる。これらの結果、非接触区間において、引張力Ｆは急激に減少する。
【００８５】
上記の理由により、非接触区間における引張力Ｆの減少速度は、接触区間における引張力Ｆの増加速度より非常に速く、５倍程度と考えられる。
【００８６】
即ち、この実施の形態による凹凸形状のシート端部においては、接触区間の後に非接触区間が存在することにより、接触区間において蓄積した引張力Ｆは非接触区間において急激に減少し、引張力Ｆが対抗力Ｃを超えにくく、指を切傷しにくい。
【００８７】
又、接触区間の後に存在する非接触区間が十分に長ければ、接触区間において蓄積した引張力Ｆは非接触区間において０にまで減少し、更にその後に同様の比率の長さである接触区間と非接触区間が交互に存在していても、指を切傷しにくい。
【００８８】
次に、指を切傷しないための接触区間の長さの上限及び非接触区間の下限について説明する。
【００８９】
シート端部の凸部分の長さＬ１は、シート端面と指との一度の接触機会における接触区間の長さにあたる。又、シート端部の凹部分の長さＬ２は、その一度の接触機会が終了し次の接触が開始するまでの非接触区間の長さである。
【００９０】
まず、あるシート端面と指とが接触し、シートが一定の力及び一定速度で平行移動し、指が切傷しなかった時、上記式（ｉ）において引張力Ｆ＜対抗力Ｃが成り立っている。
【００９１】
即ち、シート端部が凹凸形状の場合、一度の接触機会において指が切傷しないためには、指と接触し得る凸部分の長さＬ１が、上記式（ｖｉｉ）において引張力Ｆ＜対抗力Ｃが成り立つ範囲の総接触距離Ｄであることが必要となる。
【００９２】
又、複数の凸部分への連続的な接触機会があっても指を切傷しないためには、一度の接触機会が終了した時点で蓄積していた引張力Ｆが、長さがＬ２である非接触区間において急激に減少していき、次の接触機会までにほぼ０にまで減少している必要がある。
【００９３】
ここで、以上説明したように、引張力Ｆの非接触区間における減少速度は、接触区間における増加速度の５倍程度と考えられるため、非接触時に引張力Ｆを０まで減少させるとき、Ｌ１とＬ２の間に次のような関係が成り立つ。
【００９４】
Ｌ２＞Ｌ１／５      ・・・（ｖｉｉｉ）
即ち、非接触区間においてＦを０まで減少させるためには、シート端部の凹凸形状の凹部分の長さＬ２は同凸部分の長さＬ１の１／５以上の距離であれば良い。
【００９５】
尚、Ｌ２が余りにも長い場合、凹部分に指が触れてしまう可能性があるため、Ｌ２は一定の距離Ｍ［ｍｍ］未満である必要がある。Ｍは、非接触である凹部分の上限の距離であり、指等の大きさから１０ｍｍ程度と考えられる。
【００９６】
ここで、シートの厚みを変化させる場合について説明する。
【００９７】
シートを薄くすると、シートの厚みＴが減少する。このとき、上記式（ｖｉｉ）より、
Ｆ＝μ・Ｐ・Ｄ／Ｗ
Ｃ＝β・Ｔ・Ｗ      ・・・（ｉｘ）
となり、式にＴが含まれないＦの増加速度は変わらず、ＣはＴの減少に比例して減少する。
【００９８】
又、上記式（ｉ）においてＦ＜ＣとなるときのＤをＬ１とすると、Ｔを減少させたときにＦ＜Ｃの状態を維持するためには、Ｌ１はＴの減少に比例して減少する必要がある。よって、Ｌ１をＴの関数とし、Ｆ＜Ｃにおいて上記式（ｉｘ）を変形すると、以下のような式となる。
【００９９】
Ｌ１＜｛（β・Ｗ２）／（μ・Ｐ）｝Ｔ
β及びμは定数であり、本件においてＷ、Ｐは一定であるので、（β・Ｗ２）／（μ・Ｐ）＝定数αとおくと、
Ｌ１＜α・Ｔ      ・・・（ｘ）
が成り立つ。
【０１００】
即ち、シート端部と指との一度の接触機会において指を切傷しないためには、接触区間の長さである、シート端部の凹凸形状の凸部分の長さＬ１をα・Ｔ以下にする必要がある。
【０１０１】
又、シートの厚みＴを薄くしたとき、シート端部と指との一度の接触機会において指を切傷しないためには、凸部分の長さＬ１もそれに伴い短くする必要がある。
【０１０２】
次に、この発明の第２の実施の形態による積層体シートについて説明する。
【０１０３】
図７はこの発明の第２の実施の形態による積層体シートの概略構成を示す概略平面図であって、図１に対応するものである。
【０１０４】
図を参照して、シート１の本体平面は、この発明の第１の実施の形態と同様の形状に成型されている。又、この実施の形態による積層体シートの断面構造は、この発明の第１の実施の形態と同様の積層構造である。したがって、この発明の第１の実施の形態と同一部分については説明を繰り返さずに、相違点を中心に説明する。
【０１０５】
この実施の形態による積層体シートのシート端部２に、この発明の第１の実施の形態との相違点が存在するため、次に、この実施の形態によるシート端部について説明する。
【０１０６】
図８は図７で示した“Ｙ”部分のシート端部を示す拡大概略図であって、図５（１）に対応するものである。
【０１０７】
図を参照して、シート端部２は平面視において山谷が繰り返される波型形状であり、シート端部の変位の中間線である一点鎖線１５より上部である凸部分１３と、下部である凹部分１４とが交互に存在する。
【０１０８】
このシート端部の凸部分１３の縁に沿った長さであって取扱い時に指が連続的に接触し得る長さをＬ１とし、このシート端部の凹部分１４の存在による凸部分の不連続箇所の直線長さ、即ち、指の非接触区間の直線長さをＬ２とする。
【０１０９】
次に、この実施の形態における積層体シートのシート端部の繰り返しピッチ及び最大変位について説明する。
【０１１０】
図９はこの発明の第２の実施の形態による積層体シートのシート端部を示す拡大概略図であって、（１）はその繰り返しピッチ及び最大変位を示すものであり、（２）はその最上点から隣接する最下点までの縁に沿った長さを示すものであり、（３）はその最上点から隣接する最下点までの直線長さを示すものである。
【０１１１】
まず（１）を参照して、この実施の形態による積層体シートのシート端部２は平面視において山谷が繰り返される波型形状を有する。この波型形状の凸部分から次の凸部分までの間隔が繰り返しピッチＬであり、この波型形状の最大変位がＨである。
【０１１２】
次に（２）を参照して、シート端部の指と連続的に接触し得る凸部分の縁に沿った長さＬ１は、一点鎖線１５を境界とした凸部分１３と凹部分１４とが合同な形状であるため、シート端部の平面視における最上点１６と隣接する最下点１７までの縁に沿った長さＬ３と等しい。
【０１１３】
次に（３）を参照して、一点鎖線で示した線部が上記Ｌ３に相当する部分であり、（３）はその周辺を拡大したものである。
【０１１４】
ここで、最上点１６から最下点１７までの縁に沿った長さＬ３は、最上点１６から最下点１７までの直線長さＬ４と近似できる。尚、波型形状においては厳密にはＬ４はＬ３よりも短い。
【０１１５】
Ｌ４は縦の長さＨ且つ横の長さＬ／２の直角三角形の斜辺の長さに相当するため、次のような式が成り立つ。
【０１１６】
Ｌ４＝｛Ｈ２＋（Ｌ２／４）｝１／２
以上説明したように、Ｌ１はＬ３と等しく、Ｌ３はＬ４と近似できるため、Ｌ１はＬ４と近似できる。又、波型形状においては厳密にはＬ４はＬ３よりも短く、即ち厳密にはＬ４はＬ１よりも短いため、当該積層体シートのＬ１をＬ４と等しくなるように設計しても安全側となり、Ｌ１は取扱い時に指を切傷しない長さの範囲を逸脱しない。
【０１１７】
ここで、Ｌ１は、指を切傷しないようにＬ１＜α・Ｔが成り立つ範囲の数値である。αは積層体シートの素材及び指の特性から定まり、Ｔは積層体シートの全体厚さであるため、積層体シートの素材及び構成を定めることによってまずＬ１が定まる。次に、以上説明したように、Ｌ１＝｛Ｈ２＋（Ｌ２／４）｝１／２が成り立つようにＬ１に基づき繰り返しピッチＬ及び最大変位Ｈの関係を求めることができる。そして、繰り返しピッチＬ及び最大変位Ｈが定まることでシート端部の具体的な形状を定めることができる。
【０１１８】
次に、Ｈ及びＬの上限及び下限について説明する。
【０１１９】
まず、繰り返しピッチＬの長さを１０ｍｍ超にすると、シート端部の長さに対する凸部分の個数が減り、シート端部の凹凸形状が直線状に近くなり、指を切傷しやすくなるため、上限を１０ｍｍとする。また、繰り返しピッチＬの長さを１ｍｍ未満にすると、シート端部の凹凸形状が細かくなり、シート端部の凹凸形状が実質的に直線状に近くなり、指を切傷しやすくなるため、下限を１ｍｍとする。以上より繰り返しピッチＬの範囲は、１〜１０ｍｍであれば良い。
【０１２０】
次に、最大変位Ｈを５．０ｍｍ超にすると、シート端部が直線状の場合と比較して意匠性が大きく変わるため、上限を５．０ｍｍとする。また、最大変位Ｈを０．２ｍｍ未満にすると、シート端部の凹凸形状が実質的に直線状に近くなり、指を切傷しやすくなるため、下限を０．２ｍｍとする。以上より最大変位Ｈの範囲は、０．２〜５．０ｍｍであれば良い。
【０１２１】
次に、この発明の実施の形態による積層体シートの製造工程について説明する。
【０１２２】
図１０はこの発明の第２の実施の形態による積層体シートの製造工程を示す概略工程図である。
【０１２３】
図を参照して、まず、第１のアルミニウム箔４の片面に所望のデザインの印刷面２０を付すためにその表面全体を耐熱インキにて印刷する印刷工程を行う。そして、この印刷工程とは別に不燃紙である紙５と第２のアルミニウム箔６を貼り合わせる、第１の貼り合わせ工程を行う。
【０１２４】
尚、この実施の形態にあっては、第１の貼り合わせ工程での貼り合わせは接着剤にて行ったが、他の手段にて貼り合わせを行っても良い。
【０１２５】
又、この実施の形態にあっては、第１アルミニウム箔４の外面が全面耐熱インキによって印刷されているが、印刷は必ずしも必要なものでは無い。
【０１２６】
このようにして得られた印刷後の第１アルミニウム箔４と不燃紙５と貼り合わせされた第２アルミニウム箔６とを貼り合わせる第２の貼り合わせ工程を行う。このようにして得られた不燃紙の両面にアルミニウム箔が貼り合わせされてなる積層体シートの原反２１から所定分のシートを引き出し、トムソン刃により図７で示したような形状に打ち抜く打抜工程を行う。
【０１２７】
尚、この実施の形態にあっては、不燃紙は坪量１００ｇ／ｍ２のものが使用されているが、坪量は７０〜３００ｇ／ｍ２の範囲であれば良い。即ち、不燃紙の厚みは０．０８０〜０．３４５ｍｍ以下であれば良い。
【０１２８】
又、この実施の形態にあっては、第１アルミニウム箔及び第２アルミニウム箔の厚みは０．０１２ｍｍのものが使用されているが、厚みは０．００６〜０．０５０ｍｍの範囲であれば良い。
【０１２９】
上記の打抜工程において、積層体シート本体の端部の切断に用いる切断刃として従来用いられている直線状のトムソン刃ではなく平面視波型形状のトムソン刃を用いることで、シート端部が平面視において凹凸形状である積層体シートを一度で打ち抜くことができる。
【０１３０】
尚、この実施の形態にあっては、各工程は別個に行ったが、同時に行っても良いし、第１及び第２の貼り合わせ工程後に印刷工程を行っても良い。又、印刷工程は打抜工程後に行っても良い。
【０１３１】
次に、実施例におけるＴ及びＬ１の関係について説明する。
【０１３２】
シート端部と指とが連続的に接触しても指を切傷しないＬ１の長さの上限を測定するため、この発明による積層体シートを用いて、市販のソーセージを指とみなし、積層体シートとソーセージとを所定の押圧力で接触させ、これらを所定の速度で相対的に移動させ、ソーセージ表面が切傷するまでの総接触距離を測定した。切傷した時点の総接触距離がＬ１の上限である。ＴとＬ１上限との関係は、以下に示す表１の通りとなった。
【０１３３】
【表１】
0006621590.tif 000002
表１のデータから、上記式（ｘ）より、α＝２２．５である。
【０１３４】
尚、αは実際はシートの素材及び指の特性により定まるものである。
【０１３５】
以上説明したように、シートの全体厚さＴが０．０８６〜０．４４５ｍｍを前提とし、シートの素材及び指の特性から定まる定数αを上記の実験で求めると、シート端部の周縁部分であって取扱い時に指が連続的に接触し得る長さをＬ１とすると、上記式（ｘ）よりＬ１＜α・Ｔであれば一度の接触機会において引張力Ｆ＜対抗力Ｃが成り立つため、少なくとも最初の指との接触機会において指を接触しにくいシートを設計することが可能となる。
【０１３６】
尚、この発明の第２の実施の形態にあっては、シート端部の形状が波型に形成加工されているが、以下の図１１に示すような形状であっても良い。
【０１３７】
図１１はこの発明の他の実施の形態による積層体シートのシート端部の形状を示す拡大概略図であり、図５（１）に対応するものである。
【０１３８】
図を参照して、（１）〜（５）までの各実施の形態において、シート本体の他の部分は、この発明の第１の実施の形態と同様の形状に成型されている。又、（１）〜（５）までの各実施の形態において、積層体シートの断面構造は、この発明の第１の実施の形態と同様の積層構造である。したがって、この発明の第１の実施の形態と同一部分については説明を繰り返さずに、相違点のあるシート端部の形状及び凸部分の長さＬ１を中心に説明する。
【０１３９】
尚、（１）〜（５）までの各実施の形態において、シート端部の凹凸形状の変位の中間線が一点鎖線１５であり、線１５を境界として上部が凸部分１３であり、下部が凹部分１４である。このシート端部の凸部分１３の縁に沿った長さであって取扱い時に指が連続的に接触し得る長さをＬ１とし、このシート端部の凹部分１４の存在による凸部分の不連続箇所の直線長さ、即ち、指の非接触区間の直線長さをＬ２とする。
【０１４０】
まず（１）を参照して、この実施の形態にあっては、シート端部の凹凸形状はこの発明の第１の実施の形態におけるシート端部の凸形状の四角形の角を丸めたものである。
【０１４１】
次に（２）を参照して、この実施の形態にあっては、シート端部の凹凸形状は台形形状よりなるものである。
【０１４２】
次に（３）を参照して、この実施の形態にあっては、シート端部の凹凸形状は直線部分に円を付加したものである。
【０１４３】
次に（４）を参照して、この実施の形態にあっては、シート端部の凹凸形状は三角形形状よりなるものである。
【０１４４】
次に（５）を参照して、この実施の形態にあっては、（４）のシート端部の凹凸形状において、凹部分１４に平坦部を加えたものである。
【０１４５】
以上の（１）〜（５）までの各実施の形態において、Ｌ１＜α・Ｔとなるようにシート端部の凹凸形状が形成されているため、指を切傷しにくい。
【０１４６】
尚、シート端部の凹凸形状が上記の各実施の形態に示されていない他の凹凸形状であっても、Ｌ１＜α・Ｔであれば良い。
【０１４７】
又、上記の各実施の形態では、シートに紙とその両面にアルミニウム箔を貼り合わせてなる積層体シートが用いられているが、シートは積層体でなくても良い。
【０１４８】
更に、上記の各実施の形態では、積層体シートがガスレンジトッププレート覆いとして用いられているが、積層体シートはガスレンジトッププレート覆い以外の用途でも良い。
【０１４９】
更に、上記の各実施の形態では、シート体にアルミニウム箔が使用されているが、これに代えて他の金属箔を用いても良い。
【０１５０】
更に、上記の各実施の形態では、シート体に不燃紙が使用されているが、これに代えて用途に応じて難燃紙などを用いても良い。
【０１５１】
更に、上記の各実施の形態では、トムソン刃によって端縁（外周縁）を形成しているが、トムソン刃以外の刃又は方法で端縁（外周縁）を形成しても良い。
【０１５２】
更に、上記の各実施の形態では、第１アルミニウム箔の外面は全面耐熱インキによって印刷されているが、これに代えて、又はこれの外面にシリコンコートを施しても良い。この場合、第１アルミニウム箔の外面の平滑度が向上するため、拭き取りによる汚れの除去がより容易となる。
【符号の説明】
【０１５３】
１…シート
２…シート端部
３…シート端面
４…第１アルミニウム箔
５…紙
６…第２アルミニウム箔
８…指
９〜１０…接触面
１３…凸部分
１４…凹部分
５１…シート
５２…シート端部
５３…シート端面
５４…第１アルミニウム箔
５５…紙
５６…第２アルミニウム箔
尚、各図中同一符号は同一又は相当部分を示す。
【図１】
0006621590.tif 000003
【図２】
0006621590.tif 000004
【図３】
0006621590.tif 000005
【図４】
0006621590.tif 000006
【図５】
0006621590.tif 000007
【図６】
0006621590.tif 000008
【図７】
0006621590.tif 000009
【図８】
0006621590.tif 000010
【図９】
0006621590.tif 000011
【図１０】
0006621590.tif 000012
【図１１】
0006621590.tif 000013
【図１２】
0006621590.tif 000014
【図１３】
0006621590.tif 000015